(57)【要約】【課題】外部録画機器にリモコン信号を送信して予約録画を行う従来の録画制御装置では、録画予約待機中や録画実行中に録画機器を操作されてしまうと正しく録画できないという課題があった。【解決手段】録画制御装置において、録画予約時は妨害信号生成手段からの妨害信号を外部録画機器に常に送信し、予約録画開始／終了時には一時的に妨害信号の出力を停止し、録画機器制御信号を送信する。【選択図】図１
2005341103.tif 000002
【特許請求の範囲】
【請求項１】
録画機器制御リモコン信号生成手段と、リモコン受信を妨害する信号を生成する妨害信号生成手段と、これらの信号を外部録画機器に対し送信するためにどちらか一方を選択するための出力リモコン信号選択手段と、選択された信号を送信するリモコン信号発光手段と、前記選択手段と２つの前記生成手段を制御する録画予約制御手段と、録画予約状態を判別する判別手段を備え、外部録画機器に対するリモコン操作を妨害することを特徴とする録画制御装置。
【請求項２】
録画機器制御リモコン信号生成手段と、リモコン受信を妨害する信号を生成する妨害信号生成手段と、これらの信号を外部録画機器に対し送信するためにどちらか一方を選択するための出力リモコン信号選択手段と、選択された信号を送信するリモコン信号発光手段と、前記選択手段と２つの前記生成手段を制御する録画予約制御手段と、録画予約状態を判別する判別手段と、録画機器に対する操作を検出するためのリモコン信号受光手段と、録画機器の操作信号であることを判別するリモコン信号認識手段を備え、外部録画機器に対する特定のリモコン操作のみを妨害することを特徴とする録画制御装置。
【請求項３】
録画機器制御リモコン信号生成／停止ステップと、リモコン受信を妨害する信号を生成する妨害信号生成ステップと、これらの信号を外部録画機器に対し送信するためにどちらか一方を選択するための出力リモコン信号選択ステップと、録画予約状態を判別する判別ステップを備え、外部録画機器に対するリモコン操作を妨害することを特徴とする録画制御方法。
【請求項４】
録画機器制御リモコン信号生成／停止ステップと、リモコン受信を妨害する信号を生成する妨害信号生成ステップと、これらの信号を外部録画機器に対し送信するためにどちらか一方を選択するための出力リモコン信号選択ステップと、録画予約状態を判別する判別ステップと、録画機器の操作信号であることを判別するリモコン信号認識ステップを備え、外部録画機器に対する特定のリモコン操作のみを妨害することを特徴とする録画制御方法。
【発明の詳細な説明】
【技術分野】
【０００１】
本発明は、録画制御装置及び録画制御方法に関し、更に詳しくは、録画制御装置が、外部録画機器にリモコン信号を送信する機能を有し、テレビからのリモコン信号によって録画機器がテレビの出力映像を録画するテレビの録画予約制御に関する。
【背景技術】
【０００２】
近年、デジタル放送の開始に伴いテレビジョン放送は多様化しており、テレビにはさまざまな放送、たとえばＢＳデジタル放送や地上波デジタル放送に対応したチューナーを備えたテレビが普及している。しかしながら、録画機器に関してはこれらのチューナーをすべて備えていることは稀であり、アナログテレビチューナーのみを備えた機器が多い。このような背景の中で、録画機器がチューナーを備えていない放送を録画しようとした場合、テレビにより受信した映像を外部に出力することで外部の録画機器にて録画を行うという方法が一般的である。この形態にて予約録画しようとする場合、あらかじめ録画機器側の電源や外部入力選択を設定しておき、テレビにて録画予約管理を行い、録画実行時にテレビから録画機器の制御リモコン信号を送信して録画する方法が主流となっている（例えば、特許文献１参照）。
【特許文献１】特開平７−７５０３０号公報
【発明の開示】
【発明が解決しようとする課題】
【０００３】
しかしながら、上記従来のテレビでは、録画予約待機中や録画実行中に録画機器を録画予約したユーザ以外の第３者に操作されたり、録画予約したユーザが録画予約中であることを忘れて操作したり、気づかないうちに誤操作してしまうといった場合に録画機器の設定が変化してしまい、テレビからの録画機器の制御が所望の制御と異なり、正しく録画できないという問題点あった。たとえば、録画機器の電源が入っていると予約実行時に電源を入れる必要があるのに逆に電源を切ってしまい、録画に失敗するといったケースがある。
【０００４】
本発明は、予約待機中を含む録画予約動作中は録画機器の操作を妨害することが可能な録画制御装置及び録画制御方法を提供することを目的とする。
【課題を解決するための手段】
【０００５】
本発明の請求項１に係る録画制御装置は、録画機器制御リモコン信号生成手段と、リモコン受信を妨害する信号を生成する妨害信号生成手段と、これらの信号を録画機器に対し送信するためにどちらか一方を選択するための出力リモコン信号選択手段と、選択された信号を送信するリモコン信号発光手段と、前記選択手段と２つの前記生成手段を制御する録画予約制御手段と、録画予約状態を判別する判別手段を備え、外部録画機器に対するリモコン操作を妨害することを特徴とする。
【０００６】
また、本発明の請求項２に係る録画制御装置は、請求項１の録画制御装置の構成に加えて、録画機器に対する操作を検出するためのリモコン信号受光手段と、録画機器の操作信号であることを判別するリモコン信号認識手段を備え、外部録画機器に対する特定のリモコン操作のみを妨害することを特徴とする。
【０００７】
本発明の請求項３に係る録画制御方法は、録画機器制御リモコン信号生成ステップと、リモコン受信を妨害する信号を生成する妨害信号生成ステップと、これらの信号を外部録画機器に対し送信するためにどちらか一方を選択するための出力リモコン信号選択ステップと、録画予約状態を判別する判別ステップを備え、外部録画機器に対するリモコン操作を妨害することを特徴とする。
【０００８】
また、本発明の請求項４に係る録画制御方法は、請求項３の録画制御方法のステップに加えて、録画機器の操作信号であることを判別するリモコン信号認識ステップを備え、外部録画機器に対する特定のリモコン操作のみを妨害することを特徴とする。
【発明の効果】
【０００９】
本発明の録画制御装置及び録画制御方法により、予約録画時は妨害信号生成手段で生成した妨害信号を外部録画機器に送信することで、録画予約後に第３者などが録画機器を操作することにより起こる予約録画に失敗するという事態を防止することが可能となる。
【発明を実施するための最良の形態】
【００１０】
（実施の形態１）
図１は、本発明の実施の形態１に係るテレビから録画機器を制御し、予約録画するシステム構成を示している。テレビ１０１の中で、１０２は時刻を管理し、予約の有無、予約録画開始／終了時間を判別するための録画予約状態判別部、１０３は判別部１０２より通知された状態に基づいてテレビの外部へのリモコン出力を制御する録画予約制御部である。１０４はリモコン信号の受光において正常なコードの受信を妨害する信号を生成する妨害信号生成部であり、１０５は録画機器２０１を制御するリモコン信号を生成するための録画機器制御リモコン信号生成部である。録画機器制御リモコン信号生成部１０５はここでは図示していないが、録画機器２０１のメーカ／機種に依存しないようにさまざまなリモコン信号出力を可能にするためのコードを保持したメモリを備えている。１０６は妨害信号生成部１０４と録画機器制御リモコン信号生成部１０５で生成されるリモコン信号をどちらか一方を外部に出力するための出力リモコン信号選択部である。
【００１１】
１０７はリモコン信号発光部で信号伝送部１０８によりテレビ１０１と接続されており、出力リモコン信号選択部１０６により選択されたリモコン信号を出力する。信号伝送部１０８は一般的には有線のケーブルを指しているが、無線を利用することも可能である。リモコン信号発光部１０７は位置固定するための粘着剤などの固定材が付着しており、発光部からの信号が周囲にもれないように発光部をリモコン信号を遮断する遮断材で囲み、限られた一方向のみ信号が出力される。このリモコン信号発光部１０７の信号出力方向を録画機器２０１のリモコン受光部２０２に近接固定して設置しておく。
【００１２】
このようにリモコン信号発光部１０７を使用することで、テレビ１０１に複数台の録画機器が接続されている場合でも目的の録画機器２０１以外が妨害を受けて操作不可能になることはない。
【００１３】
ここで、図１ではＥＰＧなどの録画を予約するためのチャンネル、録画開始／終了時刻の選択システムやチューナーなどの録画機器へ出力する映像／音声の受信／出力システムについては従来のテレビと同様のため図示を省略している。
【００１４】
次に、このようなシステム構成における実施の形態１の予約録画動作について説明する。
【００１５】
テレビ１０１の映像／音声出力を録画するための録画機器２０１の電源や外部入力選択の設定などが完了し、テレビ１０１において録画の予約が行われると録画予約状態判別部１０２は予約の状態管理を開始し、現在の時刻Ｔ０を取得する。現在の時刻Ｔ０が録画開始時刻Ｔ１でなければ、録画予約制御部１０３に通知し、妨害信号生成部１０４と出力リモコン信号選択部１０６を制御することで妨害信号生成部１０４により妨害信号を生成し、出力リモコン信号選択部１０６の出力を妨害信号側に選択することで、信号伝送部１０８を経由してリモコン信号発光部１０７から録画機器２０１に対して送信する。妨害信号生成部１０４は次に制御されるまで妨害信号を継続して生成する。これにより録画機器２０１は、ユーザがリモコンを操作してもリモコン信号を受信できない。
【００１６】
ここでの予約管理において、予約が重複していた場合は、最も早い開始時刻の予約から処理し、前の録画完了後の次の予約における開始時刻の遅れは自動で修正する。録画予約状態判別部１０２により録画開始時刻Ｔ１と判別された場合には録画予約制御部１０３に通知して妨害信号生成部１０４と録画機器制御リモコン信号生成部１０５と出力リモコン信号選択部１０６を制御し、妨害信号生成部１０４の生成を停止するとともに、出力リモコン信号選択部１０６の出力を録画機器制御リモコン信号側に選択して録画機器制御リモコン信号生成部１０５により録画機器の電源ＯＮや録画開始といったリモコン信号を生成し、信号伝送部１０８を経由してリモコン信号発光部１０７から録画機器２０１に対して送信する。
【００１７】
録画機器制御リモコン信号生成部１０５は制御される毎に信号を生成し、継続して生成することはない。また、この際に録画機器２０１に応じたコードを送信するためにメーカや機種などの情報はあらかじめユーザにより録画機器制御リモコン信号生成部１０５内のメモリなどに登録されており、メモリから正しく選択される。録画開始のための録画機器制御リモコン信号を送信後、録画予約制御部１０３により妨害信号生成部１０４と出力リモコン信号選択部１０６を制御し、再び妨害信号生成部１０４の妨害信号の生成を開始し、出力リモコン信号選択部１０６の出力を妨害信号側に選択することで、信号伝送部１０８を経由してリモコン信号発光部１０７から録画機器２０１に対して妨害信号を送信する。
【００１８】
録画予約状態判別部１０２により録画終了時刻Ｔ２と判別された時には他の録画予約の有無を判別し、録画予約が無ければ録画予約制御部１０３に通知して妨害信号生成部１０４と録画機器制御リモコン信号生成部１０５と出力リモコン信号選択部１０６を制御し、妨害信号生成部１０４の生成を停止するとともに、出力リモコン信号選択部１０６の出力を録画機器制御リモコン信号側に選択して録画機器制御リモコン信号生成部１０５の録画機器の録画停止や電源ＯＦＦといったリモコン信号を生成し、信号伝送部１０８を経由してリモコン信号発光部１０７から録画機器２０１に対して送信する。録画予約が他にも存在した場合は録画機器リモコン制御信号送信後、録画予約制御部１０３により妨害信号生成部１０４と出力リモコン信号選択部１０６を制御し、再び妨害信号生成部１０４の妨害信号を生成し、リモコン信号発光部１０７から録画機器２０１に対して送信する。
【００１９】
以上により、本発明の実施の形態１では、録画予約待機中または録画実行中に録画機器は妨害信号によりリモコン信号を受信できず、テレビから送信したリモコン信号のみによって動作するため、録画機器の設定の変化を防止することができる。
【００２０】
（実施の形態２）
図２は、本発明の実施の形態２に係るテレビから録画機器を制御し、予約録画するシステム構成を示している。テレビ１０１の中で、録画予約状態判別部１０２と録画予約制御部１０３と妨害信号生成部１０４と録画機器制御リモコン信号生成部１０５と出力リモコン信号選択部１０６とリモコン信号発光部１０７と信号伝送部１０８は前述の実施の形態１における構成と同様である。１０９はテレビ１０１の制御リモコン信号を受信するだけでなく、録画機器２０１に対する制御リモコン信号も受信するためのリモコン信号受光部、１１０はリモコン信号受光部１０９により受信した信号を判別し、録画機器２０１に対する制御リモコン信号であることを認識するためのリモコン信号認識部である。
【００２１】
テレビ１０１と録画機器２０１はラックなどの同じ場所に設置され、録画機器２０１に対するリモコン信号はテレビ１０１にも到達するものとする。リモコン信号認識部１１０はここでは図示していないが、内部に録画機器２０１のメーカ／機種に依存せずに認識可能にするためのさまざまなリモコンコードを保持したメモリを備えている。図２では録画を予約するためのチャンネル、録画開始／終了時刻の選択システムや録画機器へ出力する映像／音声の受信／出力システムについては従来のテレビと同様のため図示を省略している。本実施の形態２の、テレビの予約録画動作については実施の形態１と同様である。
【００２２】
次に、本実施の形態２の、テレビの録画予約待機、または録画予約実行中、つまり妨害信号出力中に録画機器２０１の制御リモコン信号を受信した際の動作について説明する。
【００２３】
テレビ１０１のリモコン信号受光部１０９によりリモコン信号を受信するとリモコン信号認識部１１０へ入力される。リモコン信号認識部１１０は、入力されたリモコンコードを保持しているメモリと照合し、テレビ１０１を制御する信号と認識した場合は、通常のテレビ１０１の制御を行う。しかし、録画機器２０１を制御する信号、たとえば録画機器２０１が録画と同時に再生が可能な場合は再生コードなど録画動作に影響のしないコードであると認識した場合は、録画予約制御部１０３にコードと共に通知を行う。
【００２４】
この際、録画機器２０１に応じたコードを送信するためのメーカ／機種などの情報は録画機器制御リモコン信号生成部１０５に登録されている内容を参照する。通知を受けた録画予約制御部１０３は現在の妨害信号生成部１０４と出力リモコン信号選択部１０６の制御状態を確認し、録画機器２０１に対して妨害信号を送信している状態であった場合は録画機器制御リモコン信号生成部１０５と出力リモコン信号選択部１０６を制御し、リモコン信号認識部１１０より通知されたコードと同じ録画機器２０１の制御リモコン信号を録画機器制御リモコン信号生成部１０５で生成し、出力リモコン信号選択部１０６の出力を録画機器制御リモコン信号側にすることで信号伝送部１０８を経由してリモコン信号発光部１０７から録画機器２０１に対して送信する。
【００２５】
以上により、本発明の実施の形態２では、録画予約待機中または録画実行中は録画機器２０１は妨害信号により録画に不具合をきたすリモコン信号のみを受信できず、必要最小限の録画機器の設定の変化だけを防止することができる。
【００２６】
（実施の形態３）
図３は、本発明の実施の形態３に係る録画制御方法の外部録画機器を制御し、予約録画をするフローチャートを示している。３０１は予約の有無を判別するための録画予約判別ステップ、３０２はリモコン信号の受光において正常なコードの受信を妨害する信号を生成する妨害信号生成ステップであり、３１１はこの妨害信号生成を停止する妨害信号停止ステップである。３０６、３１０は外部録画機器を制御するリモコン信号を生成するための録画機器制御リモコン信号生成ステップで、３０３、３０５、３０７、３０９は前述した２つステップで生成されたリモコン信号のどちらか一方を外部に出力するための出力リモコン信号選択ステップである。３０４は予約録画開始時刻を判別するステップで、３０８は予約録画終了時刻を判別するステップである。
【００２７】
図３ではＥＰＧなどの録画を予約するためのチャンネル、録画開始／終了時刻の選択ステップやチューナーなどの録画機器へ出力する映像／音声の受信／出力ステップについては従来のテレビと同様のため図示を省略している。
【００２８】
次に、このようなステップを有する実施の形態３の予約録画方法について説明する。本実施の形態３の予約録画方法が開始されると、ステップ３０１において予約の有無を判別し、予約が無ければステップ３１１にて妨害信号生成を停止し、終了する。ステップ３１１では妨害信号が生成されていたかどうかは判別せず、強制停止とする。外部録画機器の電源や外部入力選択の設定などが完了し、本実施の形態３の録画制御方法において録画の予約が行われるとステップ３０１において予約有りと判断し、ステップ３０２へ移行し、ステップ３０２において妨害信号の生成を開始する。ステップ３１１にて停止されるまで妨害信号は継続して生成する。次にステップ３０３において外部録画機器へリモコン信号を送出するためにリモコン信号出力の選択を妨害信号出力側に設定する。これにより、外部録画機器は、ユーザがリモコンを操作してもリモコン信号を受信できない。
【００２９】
次にステップ３０４へ移行し、現在の時刻Ｔ０を取得し、録画開始時刻Ｔ１と比較する。ここでの予約管理において、予約が重複していた場合は、最も早い開始時刻の予約から処理し、前の録画完了後の次の予約における開始時刻の遅れは自動で修正する。録画開始時刻Ｔ１でなければもう一度ステップ３０４を実行する。現在の時刻Ｔ０が録画開始時刻Ｔ１と一致すればステップ３０５へ移行する。次にステップ３０４において外部録画機器へリモコン信号を送出するためにリモコン信号出力の選択を録画機器制御リモコン信号出力側に設定する。続いてステップ３０６を実行し、あらかじめユーザにより登録されたメーカ／機種などの外部録画機器の情報を参照することで、あらゆる機器のリモコンコードを網羅しているコード一覧から該当のコードを選択して電源ＯＮや録画開始といった制御リモコン信号を生成し、外部録画機器へ送信する。これらの機器制御信号はステップ３０６が実行される毎に信号を生成し、継続して生成することはない。
【００３０】
次にステップ３０７へ移行し、外部録画機器へリモコン信号を送出するためにリモコン信号出力の選択を妨害信号出力側に設定することで再び妨害信号を外部録画機器へ送出する。
【００３１】
次にステップ３０８へ移行し、現在の時刻Ｔ０を取得し、録画終了時刻Ｔ２と比較する。録画終了時刻Ｔ２でなければもう一度ステップ３０８を実行する。現在の時刻Ｔ０が録画終了時刻Ｔ２と一致すればステップ３０９へ移行し、外部録画機器へリモコン信号を送出するためにリモコン信号出力の選択を録画機器制御リモコン信号出力側に設定する。続いてステップ３１０にてあらかじめユーザにより登録されたメーカ／機種などの外部録画機器の情報を参照することで、あらゆる機器のリモコンコードを網羅しているコード一覧から該当のコードを選択して録画機器の録画停止や電源ＯＦＦといったリモコン信号を生成し、外部録画機器へ送出して終了する。終了後は、再度本発明の録画制御方法を開始することで、次の録画予約がなければステップ３１１にて妨害信号の生成を停止する。
【００３２】
以上により、本発明の実施の形態３では、録画予約待機中または録画実行中に録画機器は妨害信号によりリモコン信号を受信できず、本録画制御方法により送信したリモコン信号のみによって動作するため、録画機器の設定の変化を防止することができる。
【００３３】
（実施の形態４）
図４は、本発明の実施の形態４に係る録画制御方法の外部録画機器を制御し、予約録画をするフローチャートを示している。３０１は予約の有無を判別するための録画予約判別ステップ、３０２はリモコン信号の受光において正常なコードの受信を妨害する信号を生成する妨害信号生成ステップであり、３１１はこの妨害信号生成を停止する妨害信号停止ステップである。３０６、３１０、４０８は外部録画機器を制御するリモコン信号を生成するための録画機器制御リモコン信号生成ステップで、３０３、３０５、３０７、３０９、４０７、４０９は前記２つのステップで生成されたリモコン信号のどちらか一方を外部に出力するための出力リモコン信号選択ステップである。４０２は予約録画開始時刻を判別するステップで、４０３は予約録画終了時刻を判別するステップである。ステップ４０１は外部録画機器に対する制御リモコン信号を認識するリモコン信号認識ステップでリモコン信号の受信の有無を判別するリモコン信号受信判別ステップ４０４と外部録画機器に対する制御信号であることを判別する制御対象機器判別ステップ４０５と受信した録画機器制御コードの予約録画への影響を判別する録画影響判別ステップ４０６と前記出力リモコン信号選択ステップ４０７と４０９、前記録画機器制御リモコン信号生成ステップ４０８から成る。
【００３４】
図４ではＥＰＧなどの録画を予約するためのチャンネル、録画開始／終了時刻の選択に関連したステップやチューナーなどの録画機器へ出力する映像／音声の受信／出力に関連したステップについては従来の録画制御方法と同様のため図示を省略している。
【００３５】
本実施の形態４の、テレビの予約録画動作における３０１〜３０３、３０５〜３０７、３０９〜３１１までのステップは実施の形態３と同様である。
【００３６】
次に、本実施の形態４の、予約録画開始時刻判別ステップ４０２と予約録画終了時刻判別ステップ４０３と、リモコン信号認識ステップ４０１の動作について説明する。
【００３７】
本実施の形態４の予約録画方法が開始され、ステップ３０３まで実行されるとステップ４０１へ移行する。ここで、ステップ４０１の受信リモコン信号認識処理について、図５を用いて説明する。
【００３８】
ステップ４０１が開始されるとステップ４０４へ移行し、リモコン信号の受信の有無を判別する。リモコン信号を受信していなければそのまま終了する。リモコン信号を受信していた場合はステップ４０５へ移行し、あらかじめユーザにより登録されたメーカ／機種などの外部録画機器の情報を参照し、あらゆる機器のリモコンコードを網羅したコード群の中から対応する録画機器のコード一覧を選択し、その一覧と受信したリモコン信号のコードを照合することで外部録画機器のリモコンコードであるかを判別する。外部録画機器の制御コードでなければそのまま終了する。外部録画機器の制御であった場合はステップ４０６へ移動し、録画に影響を及ぼすコードであるかを判別し、録画に影響すると判別された場合はそのまま終了する。録画に影響しないと判別された場合はステップ４０７を実行し、外部録画機器へリモコン信号を送出するためにリモコン信号出力の選択を録画機器制御リモコン信号出力側に設定する。
【００３９】
次にステップ４０８へ移行して受信した信号と同じリモコン信号を生成し、外部録画機器へ送信する。これらの録画機器制御リモコン信号はステップ４０８が実行される毎に信号を生成し、継続して生成することはない。続いてステップ４０９にて外部録画機器へリモコン信号を送出するためにリモコン信号出力の選択を妨害信号出力側に設定することで再び妨害信号を外部録画機器へ送出し、終了する。
【００４０】
次にステップ４０２へ移行し、現在の時刻Ｔ０を取得し、録画開始時刻Ｔ１と比較し、録画開始時刻Ｔ１でなければもう一度ステップ４０１を実行する。ここでの予約管理において、予約が重複していた場合は、最も早い開始時刻の予約から処理し、前の予約完了後に次の予約を実行し、これに伴う開始時刻の遅れは自動で修正する。現在の時刻Ｔ０と録画開始時刻Ｔ１が一致し、ステップ３０５へ移行するまでステップ４０１とステップ４０２を繰り返し実行する。ステップ３０５へ移行後、ステップ３０７まで実行されるとステップ４０１へ移行する。ステップ４０１の動作については前記の通りである。ステップ４０１に続いてステップ４０３へ移行し、現在の時刻Ｔ０を取得し、録画終了時刻Ｔ２と比較し、録画終了時刻Ｔ２でなければもう一度ステップ４０１を実行する。現在の時刻Ｔ０と録画開始時刻Ｔ１が一致し、ステップ４０９へ移行するまでステップ４０１とステップ４０３を繰り返し実行する。
【００４１】
以上により、本発明の実施の形態４では、録画予約待機中または録画実行中は外部録画機器は妨害信号により録画に不具合をきたすリモコン信号のみを受信できず、必要最小限の録画機器の設定の変化だけを防止することができる。
【産業上の利用可能性】
【００４２】
本発明の録画制御装置及び録画制御方法は、予約録画の失敗を防止する効果を有しており、テレビジョン受信装置等に適用することができる。
【図面の簡単な説明】
【００４３】
【図１】本発明の実施の形態１の録画制御装置を有するテレビを使用したシステム構成図
【図２】本発明の実施の形態２の録画制御装置を有するテレビを使用したシステム構成図
【図３】本発明の実施の形態３における録画制御方法の予約録画処理を示すフローチャート
【図４】本発明の実施の形態４における録画制御方法の予約録画処理を示すフローチャート
【図５】本発明の実施の形態４における録画制御方法での受信リモコン信号認識処理を示すフローチャート
【符号の説明】
【００４４】
１０１    テレビ
１０２    録画予約状態判別部
１０３    録画予約制御部
１０４    妨害信号生成部
１０５    機器制御信号生成部
１０６    出力リモコン信号選択部
１０７    リモコン信号発光部
１０８    信号伝送部
１０９、２０２    リモコン信号受光部
１１０    リモコン信号認識部
２０１    外部録画機器
【図１】
2005341103.tif 000003
【図２】
2005341103.tif 000004
【図３】
2005341103.tif 000005
【図４】
2005341103.tif 000006
【図５】
2005341103.tif 000007